(57)【特許請求の範囲】
【請求項１】
シートを構成する発泡体製パッドに、接ぎ合わせて縫製してなるトリムカバーを加圧して接着する接着型において、
前記トリムカバーを載置する型の加圧面におけるトリムカバーの接ぎ合わせ個所に対応する位置に、トリムカバーの接ぎ合わせ個所に挿込むループ状の折曲してなる剛性線材製の係止部材を設けたことを特徴とするシートのトリムカバー接着型構造。
【請求項２】
前記係止部材は先端部が山形状に形成し、トリムカバーの接ぎ合わせ方向に向けて固設してなる前記請求項１記載のシートのトリムカバー接着型構造。
【請求項３】
前記係止部材は内方に弾性を有する鋼線からなる請求項１記載のシートのトリムカバー接着型構造。
【請求項４】
前記係止部材はトリムカバーの接ぎ合わせ個所を仮止めする突条に設けてなる請求項１記載のシートのトリムカバー接着構造。
【発明の詳細な説明】
【０００１】
【発明の属する技術分野】
本発明は自動車用シート（座席）などの車両用シートにおけるトリムカバーを発泡体製パッドに接着する型に関する。
【０００２】
【従来の技術】
従来、パッドにトリムカバーを加圧して、パッドの所定位置にトリムカバーを接着するには、パッドに対応するトリムカバーの位置ズレを防止するために、トリムカバーの位置決め用針を設けた型に、トリムカバーを突き刺して型に固定し、次に、このトリムカバーをパッドに加圧して接着するものがある（例えば、特願平１ー３０５０７号公報）。
【０００３】
【発明が解決しようとする課題】
この方法によると、トリムカバーを針で突き刺すことにより固定するため、トリムカバー側に針孔が開孔され、また、トリムカバーを構成する生地の繊維、糸を針で切断する虞れがある。そして、トリムカバーは加圧してパッドに接着するため、トリムカバーの加圧時にトリムカバーに張力が生じ、この張力によって前記針孔が拡大したり、針孔からトリムカバーが破損する虞れがあった。
一方、トリムカバーには身頃に対して額縁を接ぎ合わせて縫製したものがあり、このトリムカバーを裏返して加圧型に載置すると、接ぎ合わせ個所が加圧面より山形状に突出する。
そこで、本発明は加圧面に対して接ぎ合わせ個所が山形状に突出するトリムカバーを損傷することなく的確にパッドに接着し得る型を提供することを目的とする。
【０００４】
【課題を解決するための手段】
以上の目的を達成するための本発明に係るシートのトリムカバー接着型構造は、シートを構成する発泡体製パッドに、接ぎ合わせて縫製してなるトリムカバーを加圧して接着する接着型において、前記トリムカバーを載置する型の加圧面におけるトリムカバーの接ぎ合わせ個所に対応する位置に、トリムカバーの接ぎ合わせ個所に挿込むループ状の折曲してなる剛性線材製の係止部材を設けたことを特徴とするものである。
トリムカバーの接ぎ合わせ個所に、トリムカバーを裏返して載置する型に設けた係止部材が挿入されるため、トリムカバーは型の押圧面の所定位置に位置決めされる。
【０００５】
【実施例】
以下、本発明の一実施例を図面に基づいて説明する。
図１は、トリムカバー（Ｃ）をプレスの下型（Ｌ）にセットする状態を示し、トリムカバー（Ｃ）は身頃（１０）に対して額縁（１１）が接ぎ合わされており、このトリムカバー（１０）（１１）は裏返して下型（Ｌ）上にセットされる。
【０００６】
下型（Ｌ）には図４に示すようにパッド（２）の凹溝（２１）に対応する位置に突条（２）が形成されている。
図示する身頃（１０）、額縁（１１）は、いずれも表皮（１０Ａ）（１１Ａ）、発泡体（ウレタンフォームのスラブ材）製ワディング（１０Ｂ）（１１Ｂ）、ワディングカバー（１０Ｃ）（１１Ｃ）を積層したものであり、縫糸（１２）によって一体に接ぎ合わされている。
【０００７】
前記突条（２）はパッド（Ｐ）の凹溝（２１）における長さ、深さに対応する金属プレートで、この突条（２）の頂面に、複数の係止部材（１）（１）が一体に突設されている。
【０００８】
各係止部材（１）は、線径が１ミリ程度の断面円形の鋼線でループ状に折曲され、基端部が突条（２）に一体に溶接されている。
【０００９】
そして、この係止部材（１）は、図１、図２に示すように、先端部が山形状に形成され、前記身頃（１０）と額縁（１１）との接ぎ合わせ個所に図５に示すように、挿入し易いようになっている。
【００１０】
また、係止部材（１）は図３に示すように突条（２）の長手方向に沿って平行に突条（２）に突設され、トリムカバー（Ｃ）が下型（Ｌ）上に載置して上型（Ｕ）で加圧されてパッド（Ｐ）に接着される際に、突条（２）に対して直交方向の力がトリムカバー（Ｃ）に作用するが、その力によって係止部材（１）が変形しないように形成されている。
【００１１】
更に、係止部材（１）は内径方向に弾性が生じ、突条（２）に固設する基部に対して頭部が拡大状に形成され、係止部材（１）がトリムカバー（Ｃ）の接ぎ合わせ個所における縫糸（１２）（１２）間に挿入し易く、挿入した係止部材（１）からトリムカバー（Ｃ）が外れないようにしている。
【００１２】
図４は加圧面を上向きにした下型（Ｌ）上にトリムカバー（Ｃ）を裏返して前記係止部材（１）及び突条（２）によって位置決めし、一方、上型（Ｕ）にはシートを構成する発泡体製のパッド（Ｐ）を下向きに固定して、トリムカバー（Ｃ）をパッド（Ｐ）に接着する状態を示す。
【００１３】
トリムカバー（Ｃ）は、身頃（１０）と額縁（１１）との接ぎ合わせ個所が突条（２）の嵌入によって下型（Ｌ）に仮止されて位置決めされ、突条（２）より突出する係止部材（１）が図５に示すように、トリムカバー（Ｃ）の接ぎ合わせ個所に挿し込まれることにより、トリムカバー（Ｃ）は下型（Ｌ）に位置決めされて固定される。
【００１４】
これにより、上型（Ｕ）のパッド（Ｐ）に対するトリムカバー（Ｃ）の相対的な位置決めがなされる。
そして、パッド（Ｐ）とトリムカバー（Ｃ）のいずれか一方、又は双方の接合面に接着剤を塗布した後、上型（Ｕ）を下降させてパッド（Ｐ）をトリムカバー（Ｃ）に加圧すると、トリムカバー（Ｃ）の接ぎ合わせ個所がパッド（Ｐ）の凹溝（２１）内に嵌入して、トリムカバー（Ｃ）がパッド（Ｐ）に接着される。
【００１５】
なお、パッド（Ｐ）はシートクッション、又はシートバックの略外形形状にモールド加工したウレタンフォームである。
【００１６】
図示する係止部材（１）はその全体形状が略矢印状であるが、全体形状を山形状、半円弧状等に形成してもよい。
【００１７】
【発明の効果】
本発明によれば、トリムカバーの接ぎ合わせ個所を挿込み固定する係止部材がループ状に折曲してなる剛性線材で形成されているため、トリムカバーを損傷することなく型に位置決めできる。そして、位置決めした状態で、係止部材からトリムカバーが外れ難いし、また、トリムカバーの接ぎ合わせ個所に係止部材が挿込み易く、型に対するトリムカバーの位置決めの作業性が向上する。
【図面の簡単な説明】
【図１】本発明に係る型にトリムカバーを位置決めする状態の部分切欠斜視図である。
【図２】本発明に係る型の断面図である。
【図３】図２のIIIーIII線に沿う断面図である。
【図４】本発明に係る型の使用状態を示す断面図である。
【図５】図４におけるＡ部の拡大図である。
【符号の説明】
Ｐ      パッド
Ｃ      トリムカバー
Ｌ      型
１      係止部材
【図１】
0003539595.tif 000002
【図２】
0003539595.tif 000003
【図３】
0003539595.tif 000004
【図４】
0003539595.tif 000005
【図５】
0003539595.tif 000006